(57)【特許請求の範囲】
【請求項１】
幅方向と長手方向を有し、
吸収性コアと、着用者の肌に面する側に設けられた第１シートと、着用者の肌と反対側に設けられた第２シートと、前記第１シートと前記第２シートの間に配され、幅方向の両側に配された脚用弾性部材を有する吸収性物品であって、
前記第１シートは、前記脚用弾性部材より幅方向の外方に延在する第１辺縁部を有し、第１辺縁部が幅方向の内方に折り返されて、折り返された第１辺縁部の一部が第１辺縁部の他部に接合されることにより、前記第１辺縁部にループが形成され、
前記第２シートは、前記脚用弾性部材より幅方向の外方に延在する第２辺縁部を有し、第２辺縁部が幅方向の内方に折り返されて、折り返された第２辺縁部の一部が第２辺縁部に他部に接合されることにより、前記第２辺縁部にループが形成され、
前記第１シートの前記ループと前記第２シートの前記ループは、前記第１シートおよび前記第２シートのそれぞれの両端から３ｍｍ以内の領域で互いに接合されていないことを特徴とする吸収性物品。
【請求項２】
前記第１辺縁部は、幅方向の内方に前記第２シート側に折り返されており、前記第２辺縁部は、幅方向の内方に前記第１シート側に折り返されている請求項１に記載の吸収性物品。
【請求項３】
前記第１シートの幅方向の端が、前記第２シートの幅方向の端より外方に位置する請求項１または２に記載の吸収性物品。
【請求項４】
前記ループの周長はそれぞれ１０ｍｍ以上４０ｍｍ以下である請求項１〜３のいずれか一項に記載の吸収性物品。
【請求項５】
前記ループはそれぞれ前記脚用弾性部材から２０ｍｍ以内の領域を起点に形成される請求項１〜４のいずれか一項に記載の吸収性物品。
【請求項６】
前記第１シートは、エアスルー不織布から構成される請求項１〜５のいずれか一項に記載の吸収性物品。
【請求項７】
前記第２シートは、プラスチックフィルムから構成される請求項１〜６のいずれか一項に記載の吸収性物品。
【請求項８】
前記第２シートは、プラスチックフィルムと不織布が積層した複合シートから構成される請求項１〜６のいずれか一項に記載の吸収性物品。
【請求項９】
前記ループは、第１シートまたは第２シートが２ヶ所以上で折り返されて形成されている請求項１〜８のいずれか一項に記載の吸収性物品。
【請求項１０】
前記吸収性物品が、液透過性のトップシートと、液不透過性のバックシートと、前記トップシートと前記バックシートの間に配された前記吸収性コアと、前記トップシートの幅方向の両端に接合されたサイドシートを有し、
前記サイドシートが前記第１シートであり、
前記バックシートが前記第２シートである請求項１〜９のいずれか一項に記載の吸収性物品。
【請求項１１】
前記吸収性物品が、液透過性のトップシートと液不透過性のバックシートの間に前記吸収性コアが配されて形成された吸収性本体と、前記吸収性本体を股部に備え、内側シートと外側シートが積層された外装シート部材とを有し、
前記内側シートが前記第１シートであり、
前記外側シートが前記第２シートである請求項１〜９のいずれか一項に記載の吸収性物品。
【発明の詳細な説明】
【技術分野】
【０００１】
本発明は、使い捨ておむつ等の吸収性物品に関するものである。
【背景技術】
【０００２】
従来、使い捨ておむつ等の吸収性物品の着用者の脚周りに接触する部分、すなわち脚周り部の肌触りを改善するために、吸収性物品の脚周り部に位置するシートが折り返されて、この折り返されたシートが着用者の脚周りに接触するようにした吸収性物品が知られている（特許文献１）。
【先行技術文献】
【特許文献】
【０００３】
【特許文献１】特開２００２−４５３９７号公報
【発明の概要】
【発明が解決しようとする課題】
【０００４】
特許文献１に開示される吸収性物品によれば、脚周り部に位置するシートの切断端面が着用者の肌に接しにくくなる。そのため、着用者がシートの切断端面による痛みを受けにくくなり、脚周り部の肌触りが改善される。しかし、吸収性物品の脚周り部の着用感を高める点で、なお改善の余地が残されている。
【０００５】
本発明は前記事情に鑑みてなされたものであり、その目的は、脚周り部の肌触りがソフトで、着用感に優れた吸収性物品を提供することにある。
【課題を解決するための手段】
【０００６】
前記課題を解決することができた本発明の吸収性物品とは、幅方向と長手方向を有し、吸収性コアと、着用者の肌に面する側に設けられた第１シートと、着用者の肌と反対側に設けられた第２シートと、第１シートと第２シートの間に配され、幅方向の両側に配された脚用弾性部材を有する吸収性物品であって；第１シートは、脚用弾性部材より幅方向の外方に延在する第１辺縁部を有し、第１辺縁部が幅方向の内方に折り返されて、折り返された第１辺縁部の一部が第１辺縁部の他部に接合されることにより、第１辺縁部にループが形成され；第２シートは、脚用弾性部材より幅方向の外方に延在する第２辺縁部を有し、第２辺縁部が幅方向の内方に折り返されて、折り返された第２辺縁部の一部が第２辺縁部に他部に接合されることにより、第２辺縁部にループが形成されているところに特徴を有する。本発明の吸収性物品は、幅方向の両側端部に第１シートから形成されたループと第２シートから形成されたループが設けられるため、吸収性物品の脚周り部が嵩高に形成され、脚周り部の肌触りがソフトとなって、肌触りが向上する。
【０００７】
第１シートのループと第２シートのループは、第１シートおよび第２シートのそれぞれの両端から３ｍｍ以内の領域で互いに接合されていないことが好ましい。このように第１シートのループと第２シートのループが形成されていれば、脚周り部が嵩高に形成されやすくなる。
【０００８】
第１シートの幅方向の端は、第２シートの幅方向の端より外方に位置することが好ましい。第１シートは着用者の肌に面する側に設けられるため、第１シートは、着用者の肌とは反対側に設けられる第２シートより肌触りの良い材料から構成されるのが一般的である。従って、第１シートの幅方向の端が第２シートの幅方向の端より外方に位置していれば、着用者の肌は主に第１シートと触れることとなり、吸収性物品の脚周り部の肌触りが良好となる。
【０００９】
第１辺縁部と第２辺縁部に形成されるループの周長は、それぞれ１０ｍｍ以上４０ｍｍ以下であることが好ましい。ループがこのような周長を有していれば、ループが適度な大きさで形成されて、吸収性物品の脚周り部に適度なクッション性が付与され、肌触りがソフトとなる。
【００１０】
第１辺縁部と第２辺縁部に形成されるループは、それぞれ脚用弾性部材から２０ｍｍ以内の領域を起点に形成されることが好ましい。ループが２０ｍｍより離れた地点を基点にして形成されていれば、脚用弾性部材の収縮力がループまで及ばなくなるおそれがある。その結果、脚周り部（ループ）に凹凸が形成されにくくなり、脚周り部が嵩高に形成されにくくなる。従って、ループは脚用弾性部材から２０ｍｍ以内の領域を起点に形成されることが好ましい。
【００１１】
第１シートは、エアスルー不織布から構成されることが好ましい。エアスルー不織布は、比較的嵩高く柔軟な不織布である。従って、着用者の肌に面する側に設けられる第１シートとしてエアスルー不織布を用いれば、吸収性物品の脚周り部での肌触りが良好となる。
【００１２】
第２シートは、例えば、プラスチックフィルムから構成される。プラスチックフィルムは一般に切断端面が鋭利となり、切断端面が着用者の肌に触れると着用感が低下しやすくなる。しかし、本発明の吸収性物品は第２シートの幅方向の端部にループが形成されているため、第２シートがプラスチックフィルムから構成されていても、プラスチックフィルムの切断端面が着用者の肌に接しにくくなり、脚周り部の着用感が良好になる。
【００１３】
第２シートは、プラスチックフィルムと不織布が積層した複合シートから構成されてもよい。第２シートがこのように構成されていれば、吸収性物品の防漏性が高められるとともに、第２シートの肌触りも良好となる。
【００１４】
第１辺縁部と第２辺縁部に形成されるループは、第１シートまたは第２シートが２ヶ所以上で折り返されて形成されていてもよい。このようにループが形成されていれば、ループが嵩高に形成されて、吸収性物品の脚周り部でのクッション性が向上する。
【００１５】
本発明は、液透過性のトップシートと、液不透過性のバックシートと、トップシートとバックシートの間に配された吸収性コアと、トップシートの幅方向の両端に接合されたサイドシートを有する吸収性物品に適用することができる。この場合、サイドシートを第１シートとし、バックシートを第２シートとすればよい。本発明はまた、液透過性のトップシートと液不透過性のバックシートの間に吸収性コアが配されて形成された吸収性本体と、吸収性本体を股部に備え、内側シートと外側シートが積層された外装シート部材とを有する吸収性物品に適用することができる。この場合、内側シートを第１シートとし、外側シートを第２シートとすればよい。
【発明の効果】
【００１６】
本発明の吸収性物品は、幅方向の両側端部に第１シートから形成されたループと第２シートから形成されたループが設けられるため、吸収性物品の脚周り部が嵩高に形成され、脚周り部の肌触りがソフトとなって、肌触りが向上する。
【図面の簡単な説明】
【００１７】
【図１】本発明の吸収性物品の脚周り部の幅方向断面図の一例を表す。
【図２】本発明の吸収性物品の脚周り部の幅方向断面図の一例を表す。
【図３】本発明の吸収性物品の脚周り部の幅方向断面図の一例を表す。
【図４】本発明の吸収性物品の一例として、オープン型使い捨ておむつの着用者の肌に面する側から見た平面図を表す。
【図５】図４の使い捨ておむつのＶ−Ｖ断面図を表す。
【図６】本発明の吸収性物品の一例として、パンツ型使い捨ておむつの外観図を表す。
【図７】図６の使い捨ておむつの前腹部と後背部との接合を解いて平面に展開した状態を、着用者の肌に面する側から見た図を表す。
【図８】図７の使い捨ておむつのＶＩＩＩ−ＶＩＩＩ断面図を表す。
【発明を実施するための形態】
【００１８】
本発明の吸収性物品は、幅方向と長手方向を有し、吸収性コアと、着用者の肌に面する側に設けられた第１シートと、着用者の肌と反対側に設けられた第２シートと、前記第１シートと前記第２シートの間に配され、幅方向の両側に配された脚用弾性部材を有する。本発明の吸収性物品は、吸収性コアを有し、２枚のシートの間に脚用弾性部材が配されるものであれば特に限定されず、代表的には使い捨ておむつが示される。
【００１９】
吸収性物品の長手方向とは、吸収性物品を着用者が着用した際、着用者の股間の前後方向に延びる方向を意味する。吸収性物品の幅方向とは、吸収性物品を平面に広げた状態で吸収性物品と同一面上にあり、長手方向と直交する方向を意味する。また、本発明において、上側とは吸収性物品を着用した際の着用者側を意味し、下側とは吸収性物品を着用した際の着用者とは反対側、すなわち外側を意味する。
【００２０】
吸収性物品が使い捨ておむつである場合、使い捨ておむつは、前腹部と後背部とこれらの間に位置し吸収性コアが備えられた股部とから構成されていることが好ましい。前腹部、後背部、股部とは、使い捨ておむつを着用の際に、着用者の腹側に当てる部分を前腹部と称し、着用者の尻側に当てる部分を後背部と称し、前腹部と後背部との間に位置し着用者の股間に当てる部分を股部と称する。
【００２１】
吸収性物品が使い捨ておむつである場合、使い捨ておむつは、後背部または前腹部の左右に一対の止着部材が設けられ、当該止着部材により着用時にパンツ形状に形成するオープン型使い捨ておむつであったり、前腹部と後背部とが接合されることによりウェスト開口部と一対の脚開口部とが形成されたパンツ型使い捨ておむつであってもよい。
【００２２】
本発明の吸収性物品は、幅方向の両側端部が着用者の脚周りに位置するように装着されるものであり、吸収性物品の幅方向の両側には脚用弾性部材が配される。吸収性物品は、脚用弾性部材が配されることにより、着用者の脚周りに対するフィット性が高められ、尿等の排泄物の横漏れが防止される。なお、以下において、吸収性物品の幅方向の両側端部の脚用弾性部材を含む部分を、脚周り部と称する場合がある。
【００２３】
脚用弾性部材は、着用者の肌に面する側に設けられた第１シートと、着用者の肌と反対側に設けられた第２シートの間に配される。なお、着用者の肌と、第１シートおよび第２シートとの位置関係は、吸収性物品を着用した状態に基づくものである。脚用弾性部材は、第１シートと第２シートの少なくとも一方に、接着剤等の固定手段により伸張状態で固定される。その結果、吸収性物品の脚周り部にギャザーが形成される。
【００２４】
脚用弾性部材は、第１シートと第２シートの縁ぎりぎりには設けられず、第１シートと第２シートの縁から内方に位置する部分に設けられる。その結果、第１シートと第２シートにはそれぞれ、脚用弾性部材より幅方向の外方に第１辺縁部と第２辺縁部が形成される。すなわち、第１シートは、脚用弾性部材より幅方向の外方に延在する第１辺縁部を有し、第２シートは、脚用弾性部材より幅方向の外方に延在する第２辺縁部を有する。そして、第１辺縁部は幅方向の内方に折り返されて、折り返された第１辺縁部の一部が第１辺縁部の他部に接合されることにより、第１辺縁部にループが形成されるとともに、第２辺縁部も幅方向の内方に折り返されて、折り返された第２辺縁部の一部が第２辺縁部の他部に接合されることにより、第２辺縁部にもループが形成される。
【００２５】
本発明の吸収性物品は、幅方向の両側端部に第１シートから形成されたループと第２シートから形成されたループが設けられるため、吸収性物品の脚周り部の肌触りがソフトとなって、吸収性物品の着用感が向上する。特に、吸収性物品の幅方向の両側端部に複数のループが形成されることにより、脚周り部が嵩高に形成されるようになる。つまり、第１辺縁部のループと第２辺縁部のループがそれぞれ脚用弾性部材により長手方向に収縮されることにより、脚周り部にランダムな凹凸が形成され、脚周り部が嵩高に形成されるようになる。その結果、吸収性物品の脚周り部の肌触りが向上する。
【００２６】
例えば、従来の吸収性物品のように、第１辺縁部と第２辺縁部でループが形成されないような場合、第１シートと第２シートの端部（切断端面）が鋭利となりやすく、そのため第１シートと第２シートの端部が着用者の肌に当たると、着用者が刺激を覚えやすくなる。第１辺縁部と第２辺縁部のいずれか一方にしかループが形成されない場合は、第１シートまたは第２シートの端部が着用者の肌に接しにくくなるが、脚周り部が嵩高に形成されにくく、単に脚周り部の第１シート第２シートを合わせた厚みが厚くなる効果しか得られにくい。また、依然として第１シートと第２シートの一方のシートは端部が鋭利となるため、この鋭利な端部が着用者の肌に当たると、着用者が刺激を覚えやすくなる。
【００２７】
ループは、第１辺縁部と第２辺縁部を幅方向断面から見たときに、閉曲線が形成されていればよい。第１シートと第２シートはそれぞれ、幅方向端部が長手方向に延びるチューブ状に形成されている。ループは、閉曲線状に形成される限り、ループの中空が潰れていてもよく、また対向する第１シートどうし、あるいは第２シートどうしが接触していてもよい。
【００２８】
第１シートと第２シートの幅方向端部に設けられるループについて、図面を参照して、詳しく説明する。なお、本発明は図面に示された実施態様に限定されるものではない。図１には、本発明の吸収性物品の脚周り部の幅方向断面図の一例を示す。図では、矢印ｘが幅方向、矢印ｚが上下方向を表し、矢印ｘ，ｚにより形成される面に対して垂直方向が長手方向ｙを表す。
【００２９】
吸収性物品１は、着用者の肌に面する側に設けられた第１シート１１と、着用者の肌と反対側に設けられた第２シート２１と、第１シート１１と第２シート２１の間に配され、幅方向ｘの両側に配された脚用弾性部材３１を有する。第１シート１１は、脚用弾性部材３１より幅方向ｘの外方に延在する第１辺縁部を１２有し、第２シート２１は、脚用弾性部材３１より幅方向ｘの外方に延在する第２辺縁部２２を有する。なお、図１に示すように、吸収性物品１の幅方向ｘの一方の端部に脚用弾性部材３１が複数本設けられる場合は、最も外側に位置する脚用弾性部材３１より外方にある部分を第１辺縁部１２と第２辺縁部２２とする。従って、第１辺縁部１２と第２辺縁部２２には弾性部材は設けられない。吸収性物品１は、第１辺縁部１２と第２辺縁部２２に（具体的にはループ１３，２３に）弾性部材が設けられないことにより、着用者の脚周りに接するループ１３，２３の肌触りがソフトとなる。
【００３０】
第１シート１１では、第１辺縁部１２が幅方向ｘの内方に折り返されて、折り返された第１辺縁部１２の一部が第１辺縁部１２の他部に接合されることにより、第１辺縁部１２にループ１３が形成されている。ループ１３では、第１辺縁部１２が折り返されることにより形成される折り目１４の両側にある第１辺縁部１２どうしが、折り目１４から所定長さ離れた部分で接合され、折り目１４から前記所定長さ未満の部分で接合されていない。第２シート２１では、第２辺縁部２２が幅方向ｘの内方に折り返されて、折り返された第２辺縁部２２の一部が第２辺縁部２２に他部に接合されることにより、第２辺縁部２２にループ２３が形成されている。ループ２３では、第２辺縁部２２が折り返されることにより形成される折り目２４の両側にある第２辺縁部２２どうしが、折り目２４から所定長さ離れた部分で接合され、折り目２４から前記所定長さ未満の部分で接合されていない。なお、第１シート１１と第２シート２１の幅方向ｘの端は、折り目１４と折り目２４によりそれぞれ規定される。
【００３１】
第１辺縁部１２の折り目１４と第２辺縁部２２の折り目２４に関し、ループ１３，２３には明確な線状の折り目が形成される必要はなく、折り目は丸まっていてもよい。ループ１３，２３に明確な折り目が形成されない場合は、ループ１３，２３を平面状に押し潰したときに形成される折り目を、折り目１４，２４と規定する。すなわち、折り目１４は、ループ１３の周上で第１辺縁部１２どうしが接合した部分（つまり、第１辺縁部１２の前記一部と前記他部）から等距離にある点を結ぶ線として規定され、折り目２４は、ループ２３の周上で第２辺縁部２２どうしが接合した部分（つまり、第２辺縁部２２の前記一部と前記他部）から等距離にある点を結ぶ線として規定される。
【００３２】
第１辺縁部１２どうしの接着、第２辺縁部２２どうしの接着、および脚用弾性部材３１の第１シート１１または第２シート２１への固定は、公知の接合手段によればよい。接合手段としては、例えば、接着剤、熱融着、超音波融着等が挙げられる。図１では、接着剤３２により、第１辺縁部１２どうしが接合されるとともに、第２辺縁部２２どうしが接合されている。さらに、接着剤３２により、脚用弾性部材３１が第１シート１１と第２シート２１に固定されるとともに、脚用弾性部材３１より内方にある第１シート１１と第２シート２１が互いに接合されている。図では接着剤が塗布された部分がハッチングで示されている。
【００３３】
ループ１３，２３の周長はそれぞれ１０ｍｍ以上が好ましく、１５ｍｍ以上がより好ましく、また４０ｍｍ以下が好ましく、３０ｍｍ以下がより好ましい。ループ１３，２３の周長が１０ｍｍ以上であれば、ループ１３，２３が十分な大きさで形成されて吸収性物品１の脚周り部の肌触りがソフトとなりやすくなる。一方、ループ１３，２３の周長が４０ｍｍを超えると、ループ１３，２３の中空が潰れやすくなり、吸収性物品１の脚周り部の嵩高さが低減するおそれがある。つまり、ループ１３，２３の周長が１０ｍｍ〜４０ｍｍであれば、ループ１３，２３が適度な大きさで形成されるため、吸収性物品１の脚周り部に適度なクッション性が付与され、肌触りがソフトとなる。なお、後述するように、第１シート１１または第２シート２１が２ヶ所以上で折り返されることによりループ１３，２３が形成される場合は、ループ１３，２３の外に露出した部分の長さを、ループ１３，２３の周長とする。
【００３４】
ループ１３，２３はそれぞれ、脚用弾性部材３１から２０ｍｍ以内（より好ましくは１５ｍｍ以内）の領域を基点に形成されることが好ましい。吸収性物品１の幅方向ｘの一方の端部に脚用弾性部材３１が複数本設けられる場合は、ループ１３，２３が、最も外側に位置する脚用弾性部材３１から２０ｍｍ以内の領域を起点に形成されることが好ましい。ループ１３，２３が脚用弾性部材３１から２０ｍｍより離れた地点を基点に形成されていれば、脚用弾性部材３１の収縮力がループ１３，２３まで及ばなくなるおそれがあり、その結果、脚周り部にランダムな凹凸が形成されにくくなり、脚周り部が嵩高に形成されにくくなる。
【００３５】
第１辺縁部１２に形成されるループ１３と第２辺縁部２２に形成されるループ２３は、各々独立して形成されることが好ましく、従って、ループ１３，２３は幅方向ｘの端部が互いに接合していないことが好ましい。具体的には、第１シート１１のループ１３と第２シート２１のループ２３は、第１シート１１および第２シート２１のそれぞれの両端（折り目１４と折り目２４に相当）から３ｍｍ以内の領域（より好ましくは４ｍｍ以内の領域であり、さらに好ましくは５ｍｍ以内の領域）で互いに接合されていないことが好ましい。このようにループ１３，２３が形成されていれば、ループ１３，２３に各々独立してランダムな凹凸が形成されて、脚周り部が嵩高に形成されやすくなる。なお、ループ１３とループ２３は、図１に示すように、ループの根本部分すなわち脚用弾性部材３１に近い部分では互いに接合していてもよい。もちろん、ループ１３とループ２３は互いに全く接合せず、完全に独立して形成されていてもよい。
【００３６】
次に、第１シートと第２シートの幅方向端部に設けられるループの他の実施態様を図２および図３を参照して説明する。図２および図３には、本発明の吸収性物品の脚周り部の幅方向断面図の他の一例を示す。なお以下の図２、図３の説明において、図１と重複する部分は説明を省く。
【００３７】
図１では、第１シート１１の幅方向ｘの端（折り目１４に相当）と第２シート２１の幅方向ｘの端（折り目２４に相当）が幅方向ｘに対しほぼ一致するように設けられていたが、図２に示すように、第１シート１１の幅方向ｘの端は第２シート２１の幅方向ｘの端より外方に位置することが好ましい。第１シート１１は着用者の肌に面する側に設けられるため、第１シート１１は着用者の肌とは反対側に設けられる第２シート２１より肌触りの良い材料から構成されるのが一般的である。従って、第１シート１１の幅方向ｘの端が第２シート２１の幅方向ｘの端より外方に位置していれば、着用者の肌は主に第１シート１１と触れることとなり、吸収性物品１の脚周り部の肌触りが良好となる。
【００３８】
図３に示した吸収性物品１では、第１シート１１が２ヶ所以上で折り返されることによりループ１３が形成されている。このようにループは、シート部材が２ヶ所以上折り返されることにより形成されてもよく、図３では、第１シート１１が３枚以上重ねられてループ１３が形成されている。その結果、ループ１３が嵩高に形成されて、吸収性物品１の脚周り部でのクッション性が向上する。また、第２シート２１が２ヶ所以上で折り返されることによりループ２３が形成されてもよく、この場合も同様の効果が得られる。好ましくは、少なくとも第１シート１１が２ヶ所以上で折り返されてループ１３が形成される。なお、ループ１３，２３において第１または第２シート１１，２１を重ねる数が多すぎても、吸収性物品１の脚周り部が嵩張りやすくなることから、ループ１３，２３では第１または第２シート１１，２１が５ヶ所以下で折り返されることが好ましく、４ヶ所以下で折り返されることがより好ましい。
【００３９】
次に、本発明の吸収性物品の構成材料について説明する。第１シートと第２シートの材料は特に限定されない。第１シートと第２シートとしては、不織布、織布、編布、プラスチックフィルム、およびこれらの積層体等を使用できる。第１シートと第２シートとして不織布、織布、編布等の布材料を用いる場合、布材料を構成する繊維としては、例えば、ポリオレフィン（例えば、ポリプロピレン、ポリエチレン）、ポリエステル（例えば、ＰＥＴ）、ポリアミド（例えば、ナイロン）等の疎水性繊維；セルロース、レーヨン、コットン等の親水性繊維を用いればよい。第１シートと第２シートとしてプラスチックフィルムを用いる場合は、例えば、ポリオレフィン（例えば、ポリプロピレン、ポリエチレン）、ポリエステル（例えば、ＰＥＴ）、ポリアミド（例えば、ナイロン）等の合成樹脂を用いればよい。また、不織布とプラスチックフィルムとの積層体を用いてもよい。前記積層体としては、例えば、不織布とプラスチックフィルムとが一層ずつ重ねられたものや、プラスチックフィルムを不織布で挟んで重ねられたものが示される。第１シートと第２シートは、液透過性であっても、液不透過性であってもよいが、第２シートは液不透過性であることが好ましい。なお、本発明において、液不透過性とは撥水性の意味も含まれる。
【００４０】
第１シートと第２シートに用いられる不織布としては、スパンボンド法、エアスルー法、ポイントボンド法、メルトブロー法、エアレイド法やそれらの製法の組み合わせ等により製造される不織布を用いればよい。また、スパンボンド法とメルトブロー法を組み合わせたＳＭＳ法により製造された不織布を用いてもよい。不織布は、疎水性繊維から形成されたものでもよく、親水性繊維から形成されたものでもよく、疎水性の繊維から形成され、表面が界面活性剤で親水化処理されたものであってもよい。
【００４１】
第１シートと第２シートに用いられる不織布の目付は特に限定されず、例えば、１０ｇ／ｍ2以上が好ましく、１５ｇ／ｍ2以上がより好ましく、また３５ｇ／ｍ2以下が好ましく、２５ｇ／ｍ2以下がより好ましい。不織布の目付が１０ｇ／ｍ2〜３５ｇ／ｍ2の範囲内であれば、不織布が十分な強度と適度な剛性を有しやすくなり、ループを形成した際に、ループ形状を保持しやすくなる。
【００４２】
第１シートは、エアスルー不織布から構成されることが好ましい。エアスルー不織布は、カードウェブなどの繊維ウェブを、通気性のネットやドラムの上に載置し、熱風を吹き付けることで構成繊維の交点を熱融着させることにより得られる不織布であり、比較的嵩高く柔軟な不織布である。第１シートは着用者の肌に面する側に設けられるため、第１シートとしてエアスルー不織布を用いれば、吸収性物品の脚周り部での肌触りが良好となる。
【００４３】
第２シートは、プラスチックフィルムから構成されることが好ましい。第２シートは着用者の肌と反対側に設けられるが、第２シートがプラスチックフィルムから構成されていれば、吸収性物品の防漏性が高められる。また、プラスチックフィルムは一般に切断端面が鋭利となり、この切断端面が着用者の肌に触れると着用感が低下しやすくなる。しかし、本発明の吸収性物品は第２シートの幅方向ｘの端部にループが形成されているため、第２シートがプラスチックフィルムから構成されていても、プラスチックフィルムの切断端面が着用者の肌に接しにくくなり、脚周り部の着用感が良好になる。
【００４４】
第２シートは、プラスチックフィルムと不織布が積層した複合シートから構成されることも好ましい。このとき、複合シートは不織布が外面となるように設けられることが好ましい。第２シートがこのように構成されていれば、吸収性物品の防漏性が高められるとともに、第２シートの肌触りも良好となる。
【００４５】
脚用弾性部材としては、ポリウレタン糸、ポリウレタンフィルム、天然ゴム等の使い捨ておむつ等の吸収性物品に通常用いられる弾性伸縮材料が用いることができる。脚用弾性部材は、伸張状態でホットメルト接着剤、熱接着、超音波接着等の接合手段で固定されることが好ましい。例えば、繊度１００〜２，５００ｄｔｅｘのポリウレタン糸を、倍率１．１〜５．０倍に伸張して配設し、固定する。接合手段としては、好ましくは、ゴム系のホットメルト接着剤である。吸収性物品に脚用弾性部材以外の弾性部材が設けられる場合も、同様である。
【００４６】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布シート等のシート部材で覆ったものを用いることができる。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ナイロン等のポリアミド繊維等の熱融着性繊維が含まれてもよい。吸収性材料は、例えば、親水性繊維の集合体に吸水性樹脂を混合または散布したものを用いることが好ましい。
【００４７】
次に、本発明の吸収性物品の具体的な構成例について、図４および図５を参照して説明する。図４および図５には、吸収性物品として、いわゆるオープン型の使い捨ておむつを示した。図４は、オープン型の使い捨ておむつの着用者の肌に面する側から見た平面図を表し、図５は、図４のＶ−Ｖ断面図を表す。
【００４８】
吸収性物品４１は、液透過性のトップシート４２と、液不透過性のバックシート４３と、トップシート４２とバックシート４３の間に配された吸収性コア４４とを有する。吸収性物品４１の長手方向ｙの一方側の端部の左右両側には、止着テープ４６が取り付けられ、吸収性物品４１の他方側の端部のバックシート４３上には、着用時に止着テープ４６を留めるための止着対応部４７が設けられている。例えば、止着テープ４６にはフック・ループ・ファスナーのフック部材が設けられ、止着対応部４７はフック・ループ・ファスナーのループ部材から構成されている。
【００４９】
トップシート４２は、着用者の肌に面するように配置され、尿等の排泄物を透過する。トップシート４２を透過した排泄物は、吸収性コア４４により収容される。バックシート４３は、排泄物が外部へ漏れるのを防ぎ、衣服等が汚れるのを防ぐ。
【００５０】
トップシート４２の幅方向ｘの両端にはサイドシート４５が接合している。サイドシート４５は、吸収性物品４１の幅方向ｘの両端まで延在するとともに、幅方向ｘの内方端に起立用弾性部材４８が設けられている。吸収性物品４１の使用時には、起立用弾性部材４８の収縮力によりサイドシート４５の内方端が着用者の肌に向かって立ち上がり、これにより尿等の排泄物の横漏れが防止される。サイドシート４５は、液不透過性の不織布や液不透過性のプラスチックフィルム等により構成されることが好ましい。
【００５１】
吸収性物品４１の長手方向ｙの両側端部には、ウェスト用弾性部材４９がトップシート４２またはサイドシート４５とバックシート４３との間に配されている。ウェスト用弾性部材４９により着用者の腰周りに沿ったウェストギャザーが形成され、背中側や腹部側からの尿等の排泄物の漏れが防止される。
【００５２】
吸収性物品４１の幅方向ｘの両側端部には、脚用弾性部材５０がサイドシート４５とバックシート４３との間に配されている。脚用弾性部材５０により着用者の脚周りに沿ったレッグギャザーが形成され、股部からの尿等の排泄物の漏れが防止される。
【００５３】
吸収性物品４１においては、サイドシート４５が第１シートで、バックシート４３が第２シートとすることができる。この場合、図５に示すように、吸収性物品４１の幅方向ｘの端部で、サイドシート４５とバックシート４３によりそれぞれループが形成される。その結果、着用者の脚周りに沿って形成されるレッグギャザーの肌触りがソフトとなり、吸収性物品４１の着用感が向上する。
【００５４】
上記には、第１シートがサイドシートであり、第２シートがバックシートである実施態様を説明したが、当該実施態様はオープン型の使い捨ておむつに限らない。例えば、パンツ型の使い捨ておむつや、その他一般に用いられ、脚用弾性部材を有する吸収性物品であれば、適用可能である。また図５には、吸収性物品４１の幅方向ｘの両側端部が図２に示すように形成される態様を示したが、吸収性物品４１の幅方向ｘの両側端部の態様はこれに限定されない。
【００５５】
本発明の吸収性物品の他の具体的な構成例について、図６〜図８を参照して説明する。図６〜図８には、吸収性物品として、いわゆるパンツ型の使い捨ておむつを示した。図６は、パンツ型の使い捨ておむつの外観図を表す。図７は、図６のパンツ型の使い捨ておむつの前腹部と後背部との接合を解いて平面に展開した状態を、着用者の肌に面する側から見た図を表す。図８は、図７のＶＩＩＩ−ＶＩＩＩ断面図を表す。
【００５６】
吸収性物品６１は、吸収性本体６５と、吸収性本体６５を股部Ｒに備え、内側シート６６と外側シート６７が積層された外装シート部材６８とを有する。吸収性本体６５は、図８に示すように、液透過性のトップシート６２と液不透過性のバックシート６３の間に吸収性コア６４が配されて形成される。トップシート６２、バックシート６３、吸収性コア６４の構成や機能は、上記吸収性物品４１の説明と同じである。外装シート部材６８は、前腹部Ｐと後背部Ｑとこれらの間に位置する股部Ｒを形成し、前腹部Ｐと後背部Ｑとが接合されることによりウェスト開口部６９と一対の脚開口部７０が形成されている（図６）。吸収性本体６５は少なくとも股部Ｒに配されればよく、さらに前腹部Ｐおよび／または後背部Ｑに延在していてもよい。
【００５７】
吸収性本体６５の幅方向ｘの両側には、立ち上がりフラップ７１が設けられている（図７，図８）。立ち上がりフラップ７１には起立用弾性部材７２が配されている。立ち上がりフラップ７１は、起立用弾性部材７２の収縮力により着用者の肌に向かって立ち上がり、これにより尿等の排泄物の横漏れが防止される。立ち上がりフラップ７１は液不透過性の不織布や液不透過性のプラスチックフィルム等により構成されることが好ましい。
【００５８】
外装シート部材６８の長手方向ｙの端部には、ウェスト開口部６９の縁に沿って、複数のウェスト用弾性部材７２が配されている。ウェスト用弾性部材７２により着用者の腰周りに沿ったウェストギャザーが形成され、背中側や腹部側からの尿等の排泄物の漏れが防止される。
【００５９】
外装シート部材６８の前腹部Ｐと後背部Ｑには、内側シート６６と外側シート６７の間に、幅方向ｘに延びる複数の胴周り用弾性部材７３が設けられている。胴周り用弾性部材７３は、ウェスト用弾性部材７２と吸収性本体６５の間に、ウェスト用弾性部材７２よりも広い間隔で配されている。胴周り用弾性部材７３により、着用者の胴回りのフィット性が高められる。
【００６０】
外装シート部材６８の幅方向ｘの両側には、脚用弾性部材７４，７５が配されている。具体的には、外装シート部材６８の脚開口部７０の縁に沿って、脚用弾性部材７４，７５が内側シート６６と外側シート６７の間に配されている。脚用弾性部材は、股部Ｒを横切って脚開口部７０の前側の縁に沿って設けられる前側脚用弾性部材７４と、股部Ｒを横切って脚開口部７０の後側の縁に沿って設けられる後側脚用弾性部材７５とからなる。前側脚用弾性部材７４と後側脚用弾性部材７５とにより、脚開口部７０の縁のほぼ全周にわたり脚用弾性部材が設けられる。脚用弾性部材７４，７５により、着用者の脚周りに沿ったレッグギャザーが形成され、股部からの尿等の排泄物の漏れが防止される。
【００６１】
吸収性物品６１においては、内側シート６６が第１シートで、外側シート６７が第２シートとすることができる。この場合、図８に示すように、吸収性物品６１の股部Ｒの幅方向ｘの端部で、内側シート６６と外側シート６７によりそれぞれループが形成される。その結果、着用者の脚周りに沿って形成されるレッグギャザーの肌触りがソフトとなり、吸収性物品６１の着用感が向上する。
【００６２】
上記には、第１シートが内側シートであり、第２シートが外側シートである実施態様を説明したが、当該実施態様はパンツ型の使い捨ておむつに限らない。例えば、オープン型の使い捨ておむつや、その他一般に用いられ、脚用弾性部材を有する吸収性物品であれば、適用可能である。また図８には、吸収性物品６１の幅方向ｘの両側端部が図２に示すように形成される態様を示したが、吸収性物品６１の幅方向ｘの両側端部の態様はこれに限定されない。
【符号の説明】
【００６３】
１，４１，６１：  吸収性物品
１１：  第１シート
１２：  第１辺縁部
１３：  ループ
２１：  第２シート
２２：  第２辺縁部
２３：  ループ
３１，５０，７４，７５：  脚用弾性部材
４２，６２：  トップシート
４３，６３：  バックシート
４４，６４：  吸収性コア
４５：  サイドシート
６５：  吸収性本体
６６：  内側シート
６７：  外側シート
６８：  外装シート部材
【図１】
0005719652.tif 000002
【図２】
0005719652.tif 000003
【図３】
0005719652.tif 000004
【図４】
0005719652.tif 000005
【図５】
0005719652.tif 000006
【図６】
0005719652.tif 000007
【図７】
0005719652.tif 000008
【図８】
0005719652.tif 000009